(57)【要約】【課題】ロール状媒体を用いる印刷装置において、媒体の残量を適切に算出する。【解決手段】ロール状媒体５２ａ、５２ｂを用いる印刷装置１０であって、ロール状媒体５２ａを保持する媒体保持ロール６０と、媒体保持ロール６０の回転に応じて繰り出される媒体５０に印刷を行う印刷部であるインクジェットヘッド１４と、媒体保持ロール６０の回転量を検出する回転検出部と、インクジェットヘッド１４へ搬送される媒体５０の搬送量を検出する媒体搬送量検出部と、回転検出部が検出する回転量、及び媒体搬送量検出部が検出する搬送量に基づき、媒体５０の厚みを算出する媒体厚算出部と、回転検出部が検出する回転量、媒体搬送量検出部が検出する搬送量、及び媒体厚算出部が算出する媒体５０の厚みに基づき、ロール状媒体５２ａに対し、巻芯５４に巻かれている媒体５０の残量を算出する媒体残量算出部とを備える。【選択図】図１
2010132419.tif 000002
【特許請求の範囲】
【請求項１】
巻芯に媒体がロール状に巻かれたロール状媒体を用いる印刷装置であって、
前記巻芯を保持することにより前記ロール状媒体を保持する媒体保持ロールと、
前記媒体保持ロールの回転に応じて繰り出される前記媒体に印刷を行う印刷部と、
前記媒体保持ロールの回転量を検出する回転検出部と、
前記媒体保持ロールの回転に応じて前記印刷部へ搬送される前記媒体の搬送量を検出する媒体搬送量検出部と、
前記回転検出部が検出する前記回転量、及び前記媒体搬送量検出部が検出する前記搬送量に基づき、前記媒体の厚みを算出する媒体厚算出部と、
前記回転検出部が検出する前記回転量、前記媒体搬送量検出部が検出する前記搬送量、及び前記媒体厚算出部が算出する前記媒体の厚みに基づき、印刷前の前記媒体が巻かれた前記ロール状媒体に対し、前記巻芯に巻かれている前記媒体の残量を算出する媒体残量算出部と
を備えることを特徴とする印刷装置。
【請求項２】
媒体残量算出部が算出する前記媒体の残量が予め設定された量より少なくなった場合に前記媒体の残量が少なくなったことを示す情報を出力する残量情報出力部を更に備えることを特徴とする請求項１に記載の印刷装置。
【請求項３】
前記媒体保持ロールは、印刷前の前記媒体が巻かれた前記ロール状媒体を保持する供給側ロールであり、
前記媒体厚算出部は、
予め設定された第１の前記回転量と、前記第１の回転量の間に搬送される前記媒体の前記搬送量との比に基づき、前記第１の回転量の回転時における、前記媒体保持ロールに保持された前記ロール状媒体の径を算出し、
前記第１の回転量の回転後に更に前記媒体保持ロールが回転する第２の回転量と、前記第２の回転量の間に搬送される前記媒体の前記搬送量との比に基づき、前記第２の回転量の回転時における、前記媒体保持ロールに保持された前記ロール状媒体の径を算出し、
前記第１の回転量の回転時における前記ロール状媒体の径、前記第２の回転量の回転時における前記ロール状媒体の径、及び前記第１の回転量の回転時から前記第２の回転量の回転時までの間に搬送される前記媒体の前記搬送量に基づき、前記媒体の厚みを算出することを特徴とする請求項１又は２に記載の印刷装置。
【請求項４】
前記媒体厚算出部は、
前記第１の回転量の回転時における前記ロール状媒体の径、及び前記第２の回転量の回転時における前記ロール状媒体の径のそれぞれに基づき、それぞれの前記径に対応する前記ロール状媒体の断面積を算出し、
それぞれの前記径に対応する前記断面積の差を、前記第１の回転量の回転時から前記第２の回転量の回転時までの間に搬送される前記媒体の前記搬送量で除すことにより、前記媒体の厚みを算出することを特徴とする請求項３に記載の印刷装置。
【請求項５】
前記巻芯の径を記憶する巻芯径記憶部を更に備え、
前記媒体残量算出部は、前記巻芯径記憶部が記憶する前記巻芯の径に更に基づき、前記媒体の残量を算出することを特徴とする請求項１から４のいずれかに記載の印刷装置。
【請求項６】
前記巻芯には、当該巻芯の径を示す情報である巻芯径情報が付されており、
前記印刷装置は、前記巻芯の前記巻芯径情報を読み取る巻芯径情報読み取り部を更に備え、
前記巻芯径記憶部は、巻芯径情報読み取り部が読み取る前記巻芯径情報に基づき、前記巻芯の径を記憶することを特徴とする請求項５に記載の印刷装置。
【請求項７】
巻芯に媒体がロール状に巻かれたロール状媒体を用いる印刷装置において、前記媒体の残量を管理する媒体残量管理装置であって、
前記巻芯を保持することにより前記ロール状媒体を保持する媒体保持ロールの回転量を検出する回転検出部と、
前記媒体に印刷を行う印刷部へ前記媒体保持ロールの回転に応じて搬送される媒体の搬送量を検出する媒体搬送量検出部と、
前記回転検出部が検出する前記回転量、及び前記媒体搬送量検出部が検出する前記搬送量に基づき、前記媒体の厚みを算出する媒体厚算出部と、
前記回転検出部が検出する前記回転量、前記媒体搬送量検出部が検出する前記搬送量、及び前記媒体厚算出部が算出する前記媒体の厚みに基づき、印刷前の前記媒体が巻かれた前記ロール状媒体に対し、前記巻芯に巻かれている前記媒体の残量を算出する媒体残量算出部と
を備えることを特徴とする媒体残量管理装置
【請求項８】
巻芯に媒体がロール状に巻かれたロール状媒体を用いる印刷装置において、前記媒体の残量を算出する媒体残量算出方法であって、
前記巻芯を保持することにより前記ロール状媒体を保持する媒体保持ロールの回転量を検出する回転検出段階と、
前記媒体に印刷を行う印刷部へ前記媒体保持ロールの回転に応じて搬送される媒体の搬送量を検出する媒体搬送量検出段階と、
前記回転検出段階で検出される前記回転量、及び前記媒体搬送量検出段階で検出される前記搬送量に基づき、前記媒体の厚みを算出する媒体厚算出段階と、
前記回転検出段階で検出される前記回転量、前記媒体搬送量検出段階で検出される前記搬送量、及び前記媒体厚算出段階で算出される前記媒体の厚みに基づき、印刷前の前記媒体が巻かれた前記ロール状媒体に対し、前記巻芯に巻かれている前記媒体の残量を算出する媒体残量算出段階と
を備えることを特徴とする媒体残量算出方法。
【請求項９】
巻芯に媒体がロール状に巻かれたロール状媒体を用いる印刷装置の制御部に前記媒体の残量を算出させるプログラムであって、
前記巻芯を保持することにより前記ロール状媒体を保持する媒体保持ロールの回転量を検出する回転検出処理と、
前記媒体に印刷を行う印刷部へ前記媒体保持ロールの回転に応じて搬送される媒体の搬送量を検出する媒体搬送量検出処理と、
前記回転検出処理で検出される前記回転量、及び前記媒体搬送量検出処理で検出される前記搬送量に基づき、前記媒体の厚みを算出する媒体厚算出処理と、
前記回転検出処理で検出される前記回転量、前記媒体搬送量検出処理で検出される前記搬送量、及び前記媒体厚算出処理で算出される前記媒体の厚みに基づき、印刷前の前記媒体が巻かれた前記ロール状媒体に対し、前記巻芯に巻かれている前記媒体の残量を算出する媒体残量算出処理と
を前記制御部に行わせることを特徴とするプログラム。
【発明の詳細な説明】
【技術分野】
【０００１】
本発明は、印刷装置、媒体残量管理装置、媒体残量算出方法、及びプログラムに関する。
【背景技術】
【０００２】
従来、媒体（メディア）がロール状に巻かれたロール状媒体を使用する印刷装置が知られている。また、このような印刷装置としては、例えばラージフォーマットプリンタ等が知られている。
【発明の開示】
【発明が解決しようとする課題】
【０００３】
このような印刷装置においては、適切に印刷を行うために、例えば、媒体の残量を検出することが望まれる。しかし、ロール状媒体としては、例えば、媒体の厚みや長さ、あるいは媒体が巻かれる巻芯の径が異なる様々なものが使用される場合がある。また、例えば、印刷の目的に応じて、ロール状媒体を使用途中で入れ替える場合もある。そのため、例えば媒体の厚みや巻芯の径等が予め分かっている場合を除き、媒体の残量を自動的に検出することは困難であった。
【０００４】
尚、従来、媒体の厚みが既知の場合について、その既知の厚みの値を用いて媒体の残量を求める方法が知られている（例えば、特許文献１〜３参照）。しかし、媒体の厚み等が異なる様々なロール状媒体が使用される状況を考えると、媒体の厚み等が未知の場合であっても、媒体の残量を適切に検出することが望まれる。そこで、本発明は、上記の課題を解決できる印刷装置、媒体残量管理装置、媒体残量算出方法、及びプログラムを提供することを目的とする。
【特許文献１】特開２００５−２４７５６８号公報
【特許文献２】特開平７−１７２６４９号公報
【特許文献３】特開２００３−４８３４８号公報
【課題を解決するための手段】
【０００５】
上記の課題を解決するために、本発明は、以下の構成を有する。
（構成１）巻芯に媒体がロール状に巻かれたロール状媒体を用いる印刷装置であって、巻芯を保持することによりロール状媒体を保持する媒体保持ロールと、媒体保持ロールの回転に応じて繰り出される媒体に印刷を行う印刷部と、媒体保持ロールの回転量を検出する回転検出部と、媒体保持ロールの回転に応じて印刷部へ搬送される媒体の搬送量を検出する媒体搬送量検出部と、回転検出部が検出する回転量、及び媒体搬送量検出部が検出する搬送量に基づき、媒体の厚みを算出する媒体厚算出部と、回転検出部が検出する回転量、媒体搬送量検出部が検出する搬送量、及び媒体厚算出部が算出する媒体の厚みに基づき、印刷前の媒体が巻かれたロール状媒体に対し、巻芯に巻かれている媒体の残量を算出する媒体残量算出部とを備える。
【０００６】
このように構成した場合、例えば、媒体の厚みや使用履歴が未知の場合にも、厚みを適切に算出できる。また、検出した厚みに基づき、媒体の残量を適切に算出できる。そのため、このように構成すれば、例えば、ロール状媒体を用いる印刷装置において、媒体の残量を適切かつ自動的に算出できる。
【０００７】
尚、媒体の搬送量とは、例えば、搬送される媒体の走行距離である。媒体保持ロールは、例えば、印刷前の媒体が巻かれたロール状媒体を保持する供給側ロールである。印刷装置は、供給側ロールの他に、印刷後の媒体が巻かれたロール状媒体を保持する媒体保持ロールである巻取側ロールを更に備えてもよい。この場合、回転検出部は、巻取側ロールの回転量を更に検出してもよい。また、媒体厚算出部は、巻取側ロールの回転量に基づき、媒体の厚みを検出してもよい。
【０００８】
（構成２）媒体残量算出部が算出する媒体の残量が予め設定された量より少なくなった場合に媒体の残量が少なくなったことを示す情報を出力する残量情報出力部を更に備える。
【０００９】
残量情報出力部は、例えば印刷データに対して必要な量と比べて媒体が不足する場合に、媒体の残量が少なくなったことを示す情報を出力する。また、残量情報出力部は、例えば警告表示、発音、又はブザー等により、媒体の残量が少なくなったことを示す情報を、使用者へ通知する。このように構成すれば、媒体の残量不足を適切に使用者へ知らせることができる。また、残量情報出力部は、印刷装置の運転停止等により、媒体の残量が少なくなったことを示す情報を、使用者へ通知してもよい。
【００１０】
（構成３）媒体保持ロールは、印刷前の媒体が巻かれたロール状媒体を保持する供給側ロールであり、媒体厚算出部は、予め設定された第１の回転量と、第１の回転量の間に搬送される媒体の搬送量との比に基づき、第１の回転量の回転時における、媒体保持ロールに保持されたロール状媒体の径を算出し、第１の回転量の回転後に更に媒体保持ロールが回転する第２の回転量と、第２の回転量の間に搬送される媒体の搬送量との比に基づき、第２の回転量の回転時における、媒体保持ロールに保持されたロール状媒体の径を算出し、第１の回転量の回転時におけるロール状媒体の径、第２の回転量の回転時におけるロール状媒体の径、及び第１の回転量の回転時から第２の回転量の回転時までの間に搬送される媒体の搬送量に基づき、媒体の厚みを算出する。
【００１１】
第１の回転量の回転時から第２の回転量の回転時までの間に搬送される媒体の搬送量とは、例えば、第１の回転量の回転の開始時から、第２の回転量の回転の終了時までに搬送される媒体の搬送量である。ロール状媒体の径とは、例えば、巻芯の軸方向と垂直な平面によるロール状媒体の断面の半径である。ロール状媒体の径は、断面の直径であってもよい。このように構成すれば、例えば、媒体の厚みを適切に算出できる。また、これにより、例えば、媒体の残量を適切に算出できる。
【００１２】
尚、第１の回転量、及び第２の回転量は、例えば１回転とすることが好ましい。このように構成すれば、例えば、回転の間におけるロール状媒体の径を一定と考えて以降の演算を適切に行うことができる。また、これにより、それぞれの回転時におけるロール状媒体の径を適切に算出できる。
【００１３】
印刷装置は、第１の回転量の回転と、第２の回転量の回転との間に、更に、予め設定された第３の回転量分、媒体保持ロールを回転させることが好ましい。このように構成すれば、第１の回転量の回転時から第２の回転量の回転時までの間のロール状媒体の径の変化をより大きくできる。また、これにより、媒体の厚みをより高い精度で算出できる。
【００１４】
例えば、第１の回転量、及び第２の回転量を１回転とする場合、印刷装置１０は、媒体保持ロールに、第１の回転量に相当する１回転の回転をさせた後、第３の回転量と第２の回転量を合わせた回転量として、α（αは、２以上の整数）回転の回転を行わせる。この場合、α回転のうちの最初のαー１回転が、第３の回転量に相当する。また、α回転の最後の１回転が、第２の回転量に相当する。
【００１５】
（構成４）媒体厚算出部は、第１の回転量の回転時におけるロール状媒体の径、及び第２の回転量の回転時におけるロール状媒体の径のそれぞれに基づき、それぞれの径に対応するロール状媒体の断面積を算出し、それぞれの径に対応する断面積の差を、第１の回転量の回転時から第２の回転量の回転時までの間に搬送される媒体の搬送量で除すことにより、媒体の厚みを算出する。
【００１６】
ロール状媒体の断面積とは、例えば、巻芯の軸方向と垂直な平面によるロール状媒体の断面の断面積である。このように構成すれば、例えば、媒体の厚みを適切に算出できる。また、これにより、例えば、媒体の残量を適切に算出できる。
【００１７】
（構成５）巻芯の径を記憶する巻芯径記憶部を更に備え、媒体残量算出部は、巻芯径記憶部が記憶する巻芯の径に更に基づき、媒体の残量を算出する。このように構成すれば、例えば、ロール状媒体の巻芯の径が様々に異なる場合にも、媒体の残量を適切に算出できる。
【００１８】
（構成６）巻芯には、当該巻芯の径を示す情報である巻芯径情報が付されており、印刷装置は、巻芯の巻芯径情報を読み取る巻芯径情報読み取り部を更に備え、巻芯径記憶部は、巻芯径情報読み取り部が読み取る巻芯径情報に基づき、巻芯の径を記憶する。巻芯径情報は、例えば、巻芯に付されたバーコード等である。このように構成すれば、例えば、巻芯が予め判明していない場合でも、媒体の残量を適切に算出できる。
【００１９】
（構成７）巻芯に媒体がロール状に巻かれたロール状媒体を用いる印刷装置において、媒体の残量を管理する媒体残量管理装置であって、巻芯を保持することによりロール状媒体を保持する媒体保持ロールの回転量を検出する回転検出部と、媒体に印刷を行う印刷部へ媒体保持ロールの回転に応じて搬送される媒体の搬送量を検出する媒体搬送量検出部と、回転検出部が検出する回転量、及び媒体搬送量検出部が検出する搬送量に基づき、媒体の厚みを算出する媒体厚算出部と、回転検出部が検出する回転量、媒体搬送量検出部が検出する搬送量、及び媒体厚算出部が算出する媒体の厚みに基づき、印刷前の媒体が巻かれたロール状媒体に対し、巻芯に巻かれている媒体の残量を算出する媒体残量算出部とを備える。このように構成すれば、例えば、構成１と同様の効果を得ることができる。
【００２０】
（構成８）巻芯に媒体がロール状に巻かれたロール状媒体を用いる印刷装置において、媒体の残量を算出する媒体残量算出方法であって、巻芯を保持することによりロール状媒体を保持する媒体保持ロールの回転量を検出する回転検出段階と、媒体に印刷を行う印刷部へ媒体保持ロールの回転に応じて搬送される媒体の搬送量を検出する媒体搬送量検出段階と、回転検出段階で検出される回転量、及び媒体搬送量検出段階で検出される搬送量に基づき、媒体の厚みを算出する媒体厚算出段階と、回転検出段階で検出される回転量、媒体搬送量検出段階で検出される搬送量、及び媒体厚算出段階で算出される媒体の厚みに基づき、印刷前の媒体が巻かれたロール状媒体に対し、巻芯に巻かれている媒体の残量を算出する媒体残量算出段階とを備える。このようにすれば、例えば、構成１と同様の効果を得ることができる。
【００２１】
（構成９）巻芯に媒体がロール状に巻かれたロール状媒体を用いる印刷装置の制御部に媒体の残量を算出させるプログラムであって、巻芯を保持することによりロール状媒体を保持する媒体保持ロールの回転量を検出する回転検出処理と、媒体に印刷を行う印刷部へ媒体保持ロールの回転に応じて搬送される媒体の搬送量を検出する媒体搬送量検出処理と、回転検出処理で検出される回転量、及び媒体搬送量検出処理で検出される搬送量に基づき、媒体の厚みを算出する媒体厚算出処理と、回転検出処理で検出される回転量、媒体搬送量検出処理で検出される搬送量、及び媒体厚算出処理で算出される媒体の厚みに基づき、印刷前の媒体が巻かれたロール状媒体に対し、巻芯に巻かれている媒体の残量を算出する媒体残量算出処理とを制御部に行わせる。このように構成すれば、例えば、構成１と同様の効果を得ることができる。
【００２２】
制御部は、例えば印刷装置のＣＰＵである。制御部は、印刷装置に実装されるＡＳＩＣやＦＰＧＡ等であってもよい。また、印刷装置の全体を制御するＣＰＵと、ＡＳＩＣやＦＰＧＡ等とを含む構成であってもよい。
【発明の効果】
【００２３】
本発明によれば、例えば、ロール状媒体を用いる印刷装置において、媒体の残量を適切に算出できる。
【発明を実施するための最良の形態】
【００２４】
以下、本発明に係る実施形態を、図面を参照しながら説明する。図１は、本発明の一実施形態に係る印刷装置１０の一例を示す。図１（ａ）は、印刷装置１０の構成の一例を示す。印刷装置１０は、巻芯５４に媒体（メディア）５０がロール状に巻かれたロール状媒体５２ａ、５２ｂを用いるインクジェットプリンタであり、プラテン１２、インクジェットヘッド１４、媒体搬送ローラ１６、従動ローラ１８、巻芯径情報読み取り部２０、記憶部２２、制御部２４、及び複数の媒体保持ロール６０を備える。
【００２５】
ここで、印刷装置１０は、例えばラージフォーマットプリンタであってよい。ラージフォーマットプリンタとは、例えば、出力サイズがＡ２判以上の広幅プリンタであり、様々な厚みの媒体５０に対して印刷を行う。
【００２６】
また、ロール状媒体５２ａは、印刷前の媒体５０が巻かれたロール状媒体であり、インクジェットヘッド１４よりも媒体５０の搬送方向の上流側に設置される。また、ロール状媒体５２ｂは、印刷後の媒体５０が巻かれたロール状媒体であり、インクジェットヘッド１４よりも媒体５０の搬送方向の下流側に設置される。
【００２７】
ロール状媒体５２ａ、５２ｂの巻芯５４は、中空の筒状体である。本例において、ロール状媒体５２ａの巻芯５４には、例えばバーコード等により、巻芯５４の径を示す巻芯径情報が付されている。巻芯径情報は、媒体５０が巻かれた状態で読み取り可能なように、例えば巻芯５４の端部等に付されている。巻芯径情報は、例えばバーコード以外の各種識別情報により付されてもよい。例えば、巻芯径情報は、文字情報であってもよい。
【００２８】
以下、印刷装置１０の各構成について説明する。プラテン１２は、印刷される媒体５０を支持する台である。インクジェットヘッド１４は、媒体５０に印刷を行う印刷部の一例であり、媒体５０を挟んでプラテン１２と対向する位置に設けられ、媒体５０へインク滴を吐出する。これにより、インクジェットヘッド１４は、ロール状媒体５２ａから繰り出される媒体５０に印刷を行う。
【００２９】
媒体搬送ローラ１６は、媒体５０の搬送用のローラであり、従動ローラ１８との間に媒体５０を挟んで回転することにより、所定の搬送方向へ媒体５０を搬送する。また、本例において、媒体搬送ローラ１６は、例えばエンコーダ付きのローラであり、回転時において、エンコーダパルス等の回転量を示す信号を制御部２４へ伝える。従動ローラ１８は、媒体搬送ローラ１６に従って回転するローラである。
【００３０】
巻芯径情報読み取り部２０は、例えばバーコードリーダであり、ロール状媒体５２ａの巻芯５４に付されている巻芯径情報を読み取る。記憶部２２は、印刷装置１０の動作に必要な各種情報を記憶するメモリである。本例において、記憶部２２は、例えば印刷装置１０の動作を制御するプログラムを記憶し、制御部２４に実行させる。また、記憶部２２は、巻芯径記憶部として動作し、巻芯径情報読み取り部２０が読み取る巻芯径情報に基づき、巻芯５４の径を記憶する。これにより、巻芯５４の径が登録され、既知となる。
【００３１】
このように構成すれば、例えば、ロール状媒体５２ａの巻芯径が媒体５０の種類に応じて頻繁に変わる場合等においても、例えばロール状媒体５２ａのセット時等に巻芯径情報を読み取り、自動入力できる。また、これにより、以下で説明する媒体５０の残量の算出等を正確かつ適切に行うことが可能になる。
【００３２】
尚、巻芯５４の径のデータは、例えば手動で入力されてもよい。また、例えば、巻芯径情報の読み取り以外の方法で自動入力されてもよい。これらの場合も、記憶部２２は、入力された巻芯５４の径を記憶する。
【００３３】
制御部２４は、印刷装置１０の動作を制御する構成であり、記憶部２２に記憶されているプログラムに従って、印刷装置１０の各部を制御する。また、本例において、制御部２４は、プログラムに従って、媒体５０の厚み、及びロール状媒体５２ａにおける媒体５０の残量を算出する。
【００３４】
尚、媒体５０の厚み、及び媒体５０の残量の算出方法については、後に詳しく説明する。また、以下の説明において、ロール状媒体５２ａ、５２ｂの巻芯５４の半径はｒとする。また、図示した状態において、ロール状媒体５２ａの半径は、ｒｎである。ロール状媒体５２ｂの半径は、ｒｎ２である。
【００３５】
複数の媒体保持ロール６０のそれぞれは、ロール状媒体５２ａ、５２ｂのそれぞれを保持するローラである。本例において、媒体保持ロール６０は、対応するロール状媒体５２ａ、５２ｂの巻芯５４の中空部へ挿入されることにより、ロール状媒体５２ａ、５２ｂの巻芯５４を保持する。
【００３６】
尚、印刷前の媒体５０が巻かれたロール状媒体５２ａを保持する媒体保持ロール６０は、供給側ロールとして機能する。ロール状媒体５２ａの媒体５０は、供給側ロールとして機能する媒体保持ロール６０の回転に応じて繰り出される。また、印刷後の媒体５０が巻かれたロール状媒体５２ｂを保持する媒体保持ロール６０は、巻取側ロールとして機能する。印刷後の媒体５０は、巻取側ロールとして機能する媒体保持ロール６０の回転に応じて、ロール状媒体５２ｂに巻き取られる。
【００３７】
図１（ｂ）は、ロール状媒体５２ａを保持する媒体保持ロール６０の構成の一例を示す。尚、ロール状媒体５２ｂを保持する媒体保持ロール６０も、ロール状媒体５２ａ側と同一又は同様の構成を有してよい。
【００３８】
本例において、媒体保持ロール６０は、軸部６２及びエンコーダ６４を有する。軸部６２は、巻芯５４の中空部分へ挿入される部分であり、巻芯５４に挿入された状態で回転することにより、例えば制御部２４の指示に応じて、ロール状媒体５２ａを回転させる。エンコーダ６４は、軸部６２の回転量を示す信号を制御部２４へ出力するエンコーダである。これらの構成により、本例において、媒体保持ロール６０は、ロール状媒体５２ａを回転させる。また、エンコーダ６４の出力信号により、行った回転量を、制御部２４へ伝える。
【００３９】
図２は、制御部２４の構成の一例を示す。本例において、制御部２４は、搬送量検出部１０２、回転検出部１０４、媒体厚算出部１０６、媒体残量算出部１０８、残量情報出力部１１０、及びローラ制御部１１２を有する。
【００４０】
搬送量検出部１０２は、媒体５０（図１参照）の搬送量を検出する構成である。媒体５０の搬送量とは、例えば、所定の搬送方向へ搬送される媒体５０の走行距離である。本例において、搬送量検出部１０２は、媒体搬送ローラ１６のエンコーダから受け取る信号に基づいて媒体搬送ローラ１６の回転量を検知し、媒体搬送ローラ１６の回転量に基づき、媒体５０の搬送量を算出する。これにより、搬送量検出部１０２は、媒体保持ロール６０の回転に応じてロール状媒体５２ａ（図１参照）からインクジェットヘッド１４（図１参照）へ搬送される媒体５０の搬送量を検出する。
【００４１】
回転検出部１０４は、媒体保持ロール６０の回転量を検出する構成である。本例において、回転検出部１０４は、ロール状媒体５２ａを保持する媒体保持ロール６０のエンコーダ６４（図１参照）から受け取る信号に基づき、ロール状媒体５２ａ側の媒体保持ロール６０の回転量を検出する。回転検出部１０４は、例えば、ロール状媒体５２ｂ側の媒体保持ロール６０の回転量を更に検出してもよい。
【００４２】
媒体厚算出部１０６は、媒体５０の厚みを算出する構成である。本例において、媒体厚算出部１０６は、搬送量検出部１０２が検出する搬送量、及び回転検出部１０４が検出する回転量に基づき、媒体５０の厚みを算出する。厚みの具体的な算出方法については、後に更に詳しく説明する。媒体厚算出部１０６は、例えばロール状媒体５２ｂ側の媒体保持ロール６０の回転量に基づき、媒体５０の厚みを検出してもよい。
【００４３】
媒体残量算出部１０８は、ロール状媒体５２ａにおける媒体５０の残量を算出する構成である。本例において、媒体残量算出部１０８は、搬送量検出部１０２が検出する搬送量、回転検出部１０４が検出する回転量、媒体厚算出部１０６が算出する媒体５０の厚み、及び記憶部２２が記憶する巻芯５４（図１参照）の径に更に基づき、印刷前の媒体５０が巻かれたロール状媒体５２ａに対し、巻芯５４に巻かれている媒体５０の残量を算出する。残量の具体的な算出方法についても、後に更に詳しく説明する。
【００４４】
残量情報出力部１１０は、媒体５０の残量についての情報を出力する構成である。本例において、残量情報出力部１１０は、媒体残量算出部１０８が算出する媒体５０の残量が予め設定された量より少なくなった場合に、媒体５０の残量が少なくなったことを示す情報を出力する。例えば、残量情報出力部１１０は、印刷データに対して必要な量と比べて媒体５０が不足する場合に、媒体５０の残量が少なくなったことを示す情報を出力する。残量情報出力部１１０は、例えば外部の表示装置や警告装置等を制御することで、警告表示、発音、又はブザー等により、媒体５０の残量が少なくなったことを示す情報を、使用者へ通知してよい。本例によれば、例えば、媒体５０の残量不足を適切に使用者へ知らせることができる。
【００４５】
ローラ制御部１１２は、ロール状媒体５２ａ及びロール状媒体５２ｂの媒体保持ロール６０の回転を制御する構成である。ローラ制御部１１２は、例えば媒体保持ロール６０を駆動するモータを制御することにより、媒体保持ロール６０の回転を制御する。
【００４６】
また、本例において、ローラ制御部１１２は、例えば、残量情報出力部１１０の出力に応じて、媒体５０の残量が少なくなった場合に、媒体保持ロール６０の回転を停止させる。これにより、ローラ制御部１１２は、媒体５０の残量が少なくなった場合に、媒体５０の搬送を停止させる。
【００４７】
尚、制御部２４は、例えば印刷装置１０の全体を制御するＣＰＵである。この場合、ＣＰＵが、制御部２４の各部として機能する。制御部２４は、印刷装置に実装されるＡＳＩＣやＦＰＧＡ等であってもよい。また、制御部２４は、印刷装置の全体を制御するＣＰＵと、ＡＳＩＣやＦＰＧＡ等とを含む構成であってもよい。この場合、制御部２４の一部の構成は、例えば、ＣＰＵとは別のＡＳＩＣやＦＰＧＡ等により構成される。例えば、媒体厚算出部１０６や媒体残量算出部１０８をＡＳＩＣやＦＰＧＡ等により構成することが考えられる。このように構成すれば、例えば、媒体５０の厚みや残量の算出を適切かつ高速に行うことが可能になる。
【００４８】
また、本例において、印刷装置１０は、例えば運転開始時等に、媒体５０の残量を算出する。そして、印刷データに対して媒体５０が不足する場合等に、媒体５０の残量が少なくなったことを示す情報を出力し、運転を中止する。本例によれば、例えば、媒体やインク、及び作業時間の無駄を適切に低減できる。
【００４９】
図３は、印刷装置１０の動作の一例を示すフローチャートであり、媒体５０の厚み及び媒体５０の残量の算出方法の一例を示す。本例において、媒体５０の厚み及び残量を算出する場合、印刷装置１０は、先ず、現時点でのロール状媒体５２ａの巻径（半径）ｒｎを求める。
【００５０】
ロール状媒体５２ａの巻径を求める動作においては、先ず、ローラ制御部１１２が、ロール状媒体５２ａの媒体保持ロール６０を１回転させる（Ｓ１０２）。また、これに伴い、媒体搬送ローラ１６は、１回転分の媒体５０を搬送する。
【００５１】
この間、回転検出部１０４は、媒体保持ロール６０のエンコーダ６４から受け取るエンコーダパルスに基づき、媒体保持ロール６０が１回転することを検出する。また、１回転のエンコーダパルスの検出開始時間ｔ０を基準にして、次の１回転後のエンコーダパルスが検出されるまでの所要時間、すなわちロール状媒体５２ａの媒体保持ロール６０の１回転の所要時間Ｔ１を求める。
【００５２】
また、搬送量検出部１０２は、媒体搬送ローラ１６の回転回数Ｎ、及び媒体搬送ローラ１６の半径Ｒに基づき、同一時間Ｔ１中に搬送された媒体５０の搬送量△Ｌを検出する。この検出は、例えば、次の式（１）から求めることができる。
△Ｌ＝２πＲ×Ｎ    式（１）
【００５３】
次に、算出されたΔＬに基づき、媒体厚算出部１０６が、現時点でのロール状媒体５２ａの巻径ｒｎを、次の式（２）から求める（Ｓ１０４）。
ｒｎ＝△Ｌ／２π    式（２）
【００５４】
続いて、ローラ制御部１１２は、ロール状媒体５２ａの媒体保持ロール６０を更にα回転させ、更に媒体５０を搬送する（Ｓ１０６）。そして、最後のα回転目の回転に基づき、Ｓ１０２及びＳ１０４と同様にして、搬送量検出部１０２及び媒体厚算出部１０６は、α回転目のロール状媒体５２ａの巻径ｒαを求める（Ｓ１０８）。例えば、搬送量検出部１０２は、α回転目の１回転時間中の搬送量△Ｌαを、その間の媒体搬送ローラ１６の回転回数Ｎα、及び媒体搬送ローラ１６の半径Ｒに基づき、次の式（３）より求める。
△Ｌα＝２πＲ×Ｎα    式（３）
【００５５】
また、算出された△Ｌαに基づき、媒体厚算出部１０６が、ロール状媒体５２ａの巻径ｒαを、次の式（４）から求める。
ｒα＝△Ｌα／２π    式（４）
【００５６】
尚、本例において、搬送量検出部１０２は、α回転が終わった時点で、１回転目におけるエンコーダパルスの検出開始時間ｔ０からα回転後までにおける媒体５０の搬送量Ｌ０を更に算出する。この算出において、搬送量検出部１０２は、この間の媒体搬送ローラ１６の積算回転数Ｎ（ｔ０、α）を記憶しておき、次の式（５）から搬送量Ｌ０を求める。
Ｌ０＝２πＲ×Ｎ（ｔα、α）    式（５）
【００５７】
続いて、媒体厚算出部１０６が、媒体の厚みＤｍの算出を行う（Ｓ１１０）。厚みＤｍの算出において、媒体厚算出部１０６は、先ず、式（２）、（４）で求めたロール状媒体５２ａの巻径ｒｎ、ｒαに基づき、α回転前後の巻径の変化から、媒体５０の繰り出しによって変化した断面積（断面積の差）△Ｓを、次の式（６）から求める。
△Ｓ＝π（ｒα）２−π（ｒｎ）２
＝π（△Ｌα／２π）２−π（△Ｌ／２π）２
＝｛（△Ｌα）２一（△Ｌ）２｝／４π    式（６）
【００５８】
そして、媒体厚算出部１０６は、次の式（７）のように、算出した断面積の差ΔＳを、エンコーダパルスの検出開始時間ｔ０からα回転後までにおける媒体５０の搬送量Ｌ０で除すことにより、媒体５０の厚みＤｍを求める。
Ｄｍ＝△Ｓ／Ｌ０
＝｛（△Ｌα）２一（△Ｌ）２｝／４π÷｛２πＲ×Ｎ（ｔα、α）｝
＝｛（△Ｌα）２−（△Ｌ）２｝／｛８π２Ｒ×Ｎ（ｔα、α）｝    式（７）
【００５９】
続いて、媒体残量算出部１０８が、媒体５０の残量として、残量の長さＬｒを算出する（Ｓ１１２）。残量の長さＬｒの算出において、媒体残量算出部１０８は、先ず、記憶部２２から、ロール状媒体５２ａの巻芯５４の径（半径）ｒを読み取る。これにより、巻芯５４の径ｒが既知となる。巻芯の径ｒを用いることにより、ロール状媒体５２ａの外周と巻芯５４との間の媒体５０の断面積△Ｓｎは、次の式（８）で表される。
△Ｓｎ＝π（ｒｎ２−ｒ２）  式（８）
【００６０】
そして、式（７）で既に求めた媒体５０の厚みＤｍで断面積△Ｓｎを割ると、次の（９）式のように、媒体５０の残量Ｌｒが求まる。
Ｌｒ＝△Ｓｎ／Ｄｍ    式（９）
【００６１】
尚、本例において、媒体残量算出部１０８は、回転開始時のロール状媒体５２ａの半径ｒｎに基づき、この時点での媒体５０の残量を算出する。媒体残量算出部１０８は、例えばα回転後の半径ｒαに基づき、α回転後の媒体５０の残量を算出してもよい。また、媒体残量算出部１０８は、算出した残量Ｌｒを、残量情報出力部１１０へ通知する。残量情報出力部１１０は、必要に応じて、媒体５０の残量が少なくなったことを示す情報を出力する。
【００６２】
本例によれば、例えば、媒体５０の厚みや使用履歴が未知の場合にも、演算により自動的に、媒体５０の厚みを適切に算出できる。また、検出した厚みに基づき、媒体５０の残量を適切に算出できる。また、媒体保持ロール６０や媒体搬送ローラ１６等を動かすことでこれらの算出を行うことにより、例えば、ほぼリアルタイムに媒体５０の残量を求めることができる。そのため、本例によれば、例えば、ロール状媒体５２ａ、５２ｂを用いる印刷装置１０において、媒体５０の残量を適切かつ自動的に算出できる。
【００６３】
また、巻芯径情報に基づいて巻芯５４の径を取得し、予め登録することにより、例えば、巻芯５４の径が様々に異なるロール状媒体５２ａを使用する場合にも、媒体５０の残量を適切に算出できる。尚、巻芯５４の径は、例えば印刷装置１０に対して固定されていてもよい。この場合、例えば、巻芯径情報の読み取り等を行うことなく、媒体５０の残量を適切に算出できる。
【００６４】
ここで、ローラ制御部１１２が媒体保持ロール６０を回転させる回転量は、上記の回転量に限らず、適宜変更可能である。例えば、ローラ制御部１１２は、媒体保持ロール６０に対し、第１の回転量の回転を行わせ、その後、第２の回転量の回転を行わせてもよい。この場合、第１の回転量及び第２の回転量は、１回転以外の回転量であってもよい。また、例えば第１の回転量の回転と第２の回転量の回転との間に、更に、第３の回転量の回転を行わせてもよい。
【００６５】
この場合、媒体厚算出部１０６は、例えば、第１の回転量と、第１の回転量の間に搬送される媒体５０の搬送量との比に基づき、第１の回転量の回転時におけるロール状媒体５２ａの径を算出する。また、例えば、第２の回転量と、第２の回転量の間に搬送される媒体５０の搬送量との比に基づき、第２の回転量の回転時におけるロール状媒体５２ａの径を算出する。そして、媒体厚算出部１０６は、例えば、第１の回転量の回転時におけるロール状媒体５２ａの径、及び第２の回転量の回転時におけるロール状媒体５２ａの径のそれぞれに基づき、それぞれの径に対応するロール状媒体５２ａの断面積を算出し、それぞれの径に対応する断面積の差を、第１の回転量の回転時から第２の回転量の回転時までの間に搬送される媒体５０の搬送量で除すことにより、媒体５０の厚みを算出する。
【００６６】
このように構成した場合も、例えば、媒体５０の厚みを適切に算出できる。また、これにより、媒体５０の残量を適切に算出できる。
【００６７】
尚、本発明の変形例においては、例えば、ロール状媒体５２ａの巻径の変化を、演算ではなく、測定により検出することも考えられる。この場合、印刷装置１０は、例えば、ロール状媒体５２ａの巻径を直接測定する機構（例えば、巻径測定部）を更に備える。
【００６８】
また、以上の説明では、ロール状媒体５２ａ側の媒体保持ロール６０の回転量を回転検出部１０４で検出する方法を説明したが、例えば、回転検出部１０４により、ロール状媒体５２ｂ側の媒体保持ロール６０の回転量を検知することも考えられる。この場合も、上記と同一又は同様にして、媒体５０の厚みを適切に算出できる。
【００６９】
以上、本発明を実施形態を用いて説明したが、本発明の技術的範囲は上記実施形態に記載の範囲には限定されない。上記実施形態に、多様な変更又は改良を加えることが可能であることが当業者に明らかである。その様な変更又は改良を加えた形態も本発明の技術的範囲に含まれ得ることが、特許請求の範囲の記載から明らかである。
【産業上の利用可能性】
【００７０】
本発明は、例えば印刷装置に好適に利用できる。
【図面の簡単な説明】
【００７１】
【図１】本発明の一実施形態に係る印刷装置１０の一例を示す図である。図１（ａ）は、印刷装置１０の構成の一例を示す。図１（ｂ）は、ロール状媒体５２ａを保持する媒体保持ロール６０の構成の一例を示す。
【図２】制御部２４の構成の一例を示す図である。
【図３】印刷装置１０の動作の一例を示すフローチャートでありる。
【符号の説明】
【００７２】
１０・・・印刷装置、１２・・・プラテン、１４・・・インクジェットヘッド、１６・・・媒体搬送ローラ、１８・・・従動ローラ、２０・・・巻芯径情報読み取り部、２２・・・記憶部、２４・・・制御部、５０・・・媒体、５２・・・ロール状媒体、５４・・・巻芯、６０・・・媒体保持ロール、６２・・・軸部、６４・・・エンコーダ、１０２・・・搬送量検出部、１０４・・・回転検出部、１０６・・・媒体厚算出部、１０８・・・媒体残量算出部、１１０・・・残量情報出力部、１１２・・・ローラ制御部
【図１】
2010132419.tif 000003
【図２】
2010132419.tif 000004
【図３】
2010132419.tif 000005